(57)【要約】【課題】  歯科治療で使用する口腔鏡の鏡面の曇りは、視認の妨げとなり、その拭き取り操作は大変煩わしいものである。本発明は、口腔鏡に吸引機能を持たせ、曇りの原因である鏡面近傍の湿気をエアー吸引することで取り除き、明瞭なる視界の維持を可能とした。更に口腔鏡が吸引機能を具備したことにより、従来アシスタントの介助が必要であった歯牙切削時の冷却水等の吸引排出操作も、歯科医がひとりで、しかも口腔鏡ひとつで行えるようにした。【解決手段】  口腔鏡の保持把手１が一連の中空管状２とされ、その一端３の鏡面近傍に吸引口７が設けられ、別端４が歯科用吸引機１２と繋がるホース１１に接続されたことで、該吸引機の吸引力により、鏡面近傍の湿気の持続的な吸引排出が可能となり、鏡面の曇りの発生の防止が図れた。更に、前記の中空管状経路を用いて、適時、口腔内貯留液の吸引排出も併せ行えることとなった。【選択図】  図１
2005137865.tif 000002
【特許請求の範囲】
【請求項１】
口腔鏡の長桿体保持把手を空気や液体の排出管として利用するために、該長桿体保持把手の内部が一連の中空管状とされ、該長桿体の一端に反射鏡が取り付けられ、該長桿体の該反射鏡近傍に前記の中空管内部と連通する吸引口が設けられ、該長桿体の別端に吸引機と繋がるホースが接続され、該反射鏡近傍の前記吸引口より該反射鏡周囲の湿気を該吸引機の吸引力により排出することで該反射鏡の曇りの発生を防止しつつ、必要に応じ口腔内貯留液の吸引排出も行えることを特徴とする口腔鏡。
【発明の詳細な説明】
【発明の詳細な説明】
【技術分野】
【０００１】  本発明は、歯科治療時における口腔鏡の鏡面の曇りを防ぐために、歯科治療用ユニットに具備されている吸引機を利用して、曇りの原因である鏡面近傍の湿気を、後述の中空管状経路を通して持続的に吸引除去するようにしたものである。また、該中空管状経路を用いて、口腔内貯留液の吸引排出も併せて可能としたものである。
【背景技術】
【０００２】  口腔鏡の防曇のための従来の技術には、防曇性フィルムのコーティング法があるが、この方法は加熱消毒の繰り返し等により塗膜が剥がれる欠点があり、防曇効果の持続性や確実性に問題がある。（例えば特許文献１，２，３，４参照）その他には、エアジェットにより鏡面付着物を吹き飛ばす方法があるが、この方法には、風圧による口腔粘膜の不快感があることと、病因ウィルス等を飛散させる恐れがあることとにより、実用化はなされていないようである。（例えば特許文献５，６参照）また、鏡面裏側に加熱手段を配する方法もあるようだが、破損させないための取り扱いの難しさや高価さ、更には加工の難しさなどから、これもまた実用化には至っていないようである。（例えば特許文献７参照）
以上のような理由で、現段階では鏡面の曇りに対する手段はいずれも普及には至っていず、大部分の歯科医が治療を度々中断させながら、口腔鏡を口腔外に取り出して鏡面の拭き取り操作を行うことで曇りを取り払っている状況である。また口腔内貯留液の吸引排出操作に関しては、歯科用吸引機と繋がるホースに吸引チップをさし込んだものが液体吸引のためだけに使われていて、歯科医が利き手で歯牙切削器具を持ち、別の手で口腔鏡を持つことになると、口腔内に冷却水が貯留することになる歯牙切削時などは、通常アシスタントの手を借りて吸引操作を行うことになる。さもなくば、歯科医が切削治療を中断してどちらかの手を吸引チップと交互に持ち替えることで対応せざるをえない状況である。口腔鏡に吸引チップの役割を兼ねさせて、介助や持ち替え操作を省けるようにしたものは、今のところ皆無である。【０００３】
【特許文献１】特開２００１−２５３００７号公報
【特許文献２】特開２００１−２４６２６５号公報
【特許文献３】特開２００１−０４７５８１号公報
【特許文献４】特開２０００−３０９０６８号公報
【特許文献５】特開２００１−２９９６９８号公報
【特許文献６】特開平０７−１３６１１０号公報
【特許文献７】特開平０９−３２７４３６号公報
【発明が解決しようとする課題】
【０００４】  歯科治療時に口腔内で使用される口腔鏡は、口腔内の湿気による曇りの発生が不可避である。曇りをそのままにしていては鏡としての役目を果たせない。その曇りを取り除くためには、口腔鏡を頻繁に口腔外へ取り出して鏡面を拭わねばならず、その都度治療が中断され、そのための手間と時間が惜しまれる。従来の防曇技術は、効果の持続性、加工の難しさ、消毒法の制約、患者の不快感、病因ウィルス等の飛散、高コスト、易破損性、等の問題点の幾つかを内包したものばかりであり、未だ繁用されるに至ったものは無きに等しい。本発明は、鏡面の曇りの防止の点において前記の問題点を一挙に解決するばかりでなく、口腔内貯留液の吸引排出操作においても、アシスタントの手を借りることも、口腔鏡を他の吸引器具に持ち替えることも必要とせずに、口腔鏡を口腔内に保持したままで効率的に治療の続行が可能となる画期的なものである。
【課題を解決するための手段】
【０００５】  口腔鏡の保持把手１が一連の中空管状２とされ、その一端４が歯科用吸引機１２と接続されたホース１１に着脱自在に接続され、該保持把手の別端３が反射鏡５を固着した反射鏡シート６に取り付けられ、該反射鏡の鏡面近傍に前記中空管内部と連通する吸引口７が開設されることで、該吸引機の吸引力により曇りの原因である該反射鏡近傍の湿気の持続的な排出がなされることとなり、曇らない鏡面が実現された。更に、前記の中空管状経路と、反射鏡部先端に設けられた吸引口８とを用いることで、必要に応じ口腔内貯留液の吸引排出も口腔鏡を持ったままで併せ行えることとなり、従来のようにアシスタントの手を借りることも、また他の吸引器具に持ち替えることも不要となり、診療効率の向上が図れた。
【発明を実施するための最良の形態】
【０００６】  以下、本発明の実施の形態について説明する。
（イ）．口腔鏡の長桿体保持把手１内部が、エアー等の吸引を可能とするために一連の中空管状２とされ、その一端の側面に反面鏡シート６が、取り付けられ、その上に反射鏡５が固着される。その際、該保持把手と該反射鏡シートとは、固着であっても着脱自在であっても可とする。また、該長桿体はアーチを描いても屈曲させてもよく、その断面は、円形、楕円形、多角形のいずれであってもよい。
（ロ）．該反射鏡の近傍に、前記の中空管状部と繋がる１個または複数個の吸引口が設けられる。この際、少なくとも１個の吸引口７が、曇りを防止するために鏡面近傍に設けられる必要があり、また１個は口腔内貯留液の吸引のために反射鏡部先端８に設けられる必要がある。また、両者を兼ねた吸引口９を反射鏡部先端に設ける方法や、図６の如く大きな吸引口１０として反射鏡を取り囲む方法もある。
（ハ）．連通した中空管状の該長桿体保持把手の別端４が、歯科用吸引機１２と繋がるホース１１に着脱自在に接続される。この際、ホースは歯科治療用ユニットに具備されたものを用いてもよいが、口腔鏡の操作性を向上させるために軽量かつ柔軟性に富むホースを別個に該吸引機と接続することが望ましい。また、手元を軽くするために既存のホースに軽量ホースを接続延長して使うことも可である。
【発明の効果】
【０００７】  口腔内で用いられる口腔鏡は、常時湿気に晒され、その鏡面の曇りは避け得ないものである。ひとたび鏡面が曇ると、視界が妨げられ、口腔鏡としての意味を失う。曇りを取り除くためには、治療を頻繁に中断し、鏡面の曇りを拭い去る必要がある。本発明は、吸引機による吸引手段を用いて、鏡面の湿気を排出させることで曇りの発生を持続的に防止する。しかも、口腔内貯留液の吸引操作においても、反射鏡部先端に開設された吸引口８を該液に近接させることで、吸引器具に持ち替えることもなく歯科医がひとりで適時行えることとなり、アシスタントの介助も不要となす。また本発明は、その構造が至ってシンプルであるため、安価かつ堅ろうに作ることができ、その作業効率の飛躍的な改善と相まって繁用が期待される。
【図面の簡単な説明】
【図１】    口腔鏡装置の斜視図である。
【図２】    口腔鏡の正面図である。
【図３】    吸引口部の厚さを減じた口腔鏡の正面図である。
【図４】    口腔鏡の長軸方向の正中断面図である。
【図５】    吸引口を１個としたときの口腔鏡の長軸正中断面図である。
【図６】    大きな吸引口としたときの口腔鏡の斜視図である。
【符号の説明】
１    長桿体保持把手
２    長桿体保持把手中空管状部
３    長桿体保持把手反射鏡端
４    長桿体保持把手ホース接続端
５    反射鏡
６    反射鏡シート
７    防曇用吸引口
８    液吸引用吸引口
９    防曇・液吸引兼用吸引口
１０  大口径防曇・液吸引兼用吸引口
１１  吸引用ホース
１２  歯科用吸引機
【図１】
2005137865.tif 000003
【図２】
2005137865.tif 000004
【図３】
2005137865.tif 000005
【図４】
2005137865.tif 000006
【図５】
2005137865.tif 000007
【図６】
2005137865.tif 000008